(57)【特許請求の範囲】
【請求項１】
矩形な額縁（１６）を有するワイヤーメッシュパネル本体（Ｐ）に、その網目を細分する複数本づつの縦補強線材（１７ｙ）と横補強線材（１７ｘ）とが溶接された多数の壁パネル（Ｗ）と、
有害動物侵入口（１４）を開閉する落下扉（１５）と、その落下扉（１５）の昇降ガイドレールになる左右一対の門柱（２１）とから成る少なくとも１基の門扉ユニット（Ｇ）とを備え、
上記壁パネル（Ｗ）のワイヤーメッシュパネル本体（Ｐ）が広い垂立本体面（１８ｃ）と、その上部から内側へ一定角度（β）だけ斜めに折り曲げられた忍び返し面（１８ａ）と、同じく垂立本体面（１８ｃ）の下部から内側へほぼ直角（γ）に折り曲げられた接地座面（１８ｂ）とから成り、
上記ワイヤーメッシュパネル本体（Ｐ）の横補強線材（１７ｘ）における垂立本体面（１８ｃ）と忍び返し面（１８ａ）との上記額縁（１６）から各々張り出す左右両端部は、何れも円形の連結リング（１９）として連続的に巻き曲げられている一方、
上記ワイヤーメッシュパネル本体（Ｐ）における垂立本体面（１８ｃ）側の連結リング（１９）と同じ垂直線（Ｚ−Ｚ）上での整然と対応合致する複数の円形な連結リング（２５）が上記門扉ユニット（Ｇ）の門柱（２１）へ、その門柱（２１）から張り出す状態に溶接されており、
上記壁パネル（Ｗ）における垂立本体面（１８ｃ）同士の隣り合う相互間が、その横補強線材（１７ｘ）の連結リング（１９）同士の対応合致する内部へ、上方から串刺し貫通状態に地中まで打ち込まれる長い連結支柱（１１）によって連結され、
同じく壁パネル（Ｗ）の垂立本体面（１８ｃ）と上記門扉ユニット（Ｇ）との隣り合う相互間が、その垂立本体面（１８ｃ）側における横補強線材（１７ｘ）の連結リング（１９）と、門扉ユニット（Ｇ）における門柱（２１）側の連結リング（２５）との対応合致する内部へ、上方から串刺し貫通状態に地中まで打ち込まれる長い連結支柱（１１）によって連結され、
上記壁パネル（Ｗ）の接地座面（１８ｂ）が複数のペグやステープル、その他の固定金具によって、地面（ＧＬ）へ押え付け固定されると共に、
同じく壁パネル（Ｗ）における忍び返し面（１８ａ）同士の隣り合う相互間が、その横補強線材（１７ｘ）の連結リング（１９）同士の対応合致する傾斜線（Ｙ−Ｙ）上に沿って内部へ、斜め上方から串刺し貫通状態に差し込まれる短かい連結杆（１２）によって連結され、
しかも、その短かい連結杆（１２）の下端部が上記地中へ打ち込まれた長い連結支柱（１１）の上部によって、その連結リング（１９）から抜け落ちないよう受け止められるように関係設定したことを特徴とする有害動物捕獲用の囲い罠。
【請求項２】
長い連結支柱（１１）はワイヤーメッシュパネル本体（Ｐ）における垂立本体面（１８ｃ）の背丈寸法よりも長く、
その垂立本体面（１８ｃ）から張り出す最上段の連結リング（１９）と衝当する打込み限度ストッパー（１３）が、上記連結支柱（１１）の上部から一体的に張り出されたことを特徴とする請求項１記載の有害動物捕獲用の囲い罠。
【請求項３】
壁パネル（Ｗ）が直列状態に並べられるストレート壁パネル（ＳＷ）と、平面視の一定角度（α）だけ交叉する状態に並べられるコーナー壁パネル（ＣＷ）との２種から成り、
そのコーナー壁パネル（ＣＷ）におけるワイヤーメッシュパネル本体（Ｐ）の内側へ一定角度（β）だけ斜めに折り曲げられた忍び返し面（１８ａ）の左側端縁部又は右側端縁部は、その隣り合うコーナー壁パネル（ＣＷ）の忍び返し面（１８ａ）同士が突き合って上記一定の交叉角度（α）を保てることとなるように、傾斜面（２０）としてカットされていると共に、
その傾斜面（２０）からこれと直交する斜め上向きの折り曲げ状態に張り出す横補強線材（１７ｘ）の連結リング（１９）へ、短かい連結杆（１２）を差し込めるように設定したことを特徴とする請求項１記載の有害動物捕獲用の囲い罠。
【請求項４】
門扉ユニット（Ｇ）の落下扉（１５）を１枚物の目隠し金属板として、その下端中央部に倒立Ｕ字形の逃し溝（２２）を切り欠いたことを特徴とする請求項１記載の有害動物捕獲用の囲い罠。
【請求項５】
囲い平面形状の内部に連通する正面開口の開閉扉（３４）と、止め刺し後の有害動物取り出し用背面開口の開閉扉（Ｒ）とを備えた正背方向への細長い直方体の止め刺し用檻（Ｃ）が、
上記正面開閉扉（３４）の左右両昇降ガイド支柱（３３）に溶接された複数づつの円形な連結リング（３８）と、壁パネル（Ｗ）におけるワイヤーメッシュパネル本体（Ｐ）の垂立本体面（１８ｃ）から張り出す連結リング（１９）との対応合致する内部へ、上方から串刺し貫通状態に地中まで打ち込まれる長い連結支柱（１１）によって、その囲い平面形状の壁パネル（Ｗ）と連結固定されたことを特徴とする請求項１記載の有害動物捕獲用の囲い罠。
【請求項６】
直方体の止め刺し用檻（Ｃ）を形成する左右両側面パネル（ＳＬ）（ＳＲ）と天井面パネル（Ｕ）と底面パネル（Ｆ）との隣り合う相互間が、その直方体の正背方向に沿い延在する合計４本の長い水平連結杆（２９）を介して組み立てられ、
同じく左右両側面パネル（ＳＬ）（ＳＲ）と背面パネル（Ｒ）との隣り合う相互間が、合計２本の後側垂直連結杆（３０）を介して組み立てられ、
更に正面開閉扉（３４）の左右両昇降ガイド支柱（３３）と上記左右両側面パネル（ＳＬ）（ＳＲ）との隣り合う相互間が、やはり合計２本の前側垂直連結杆（３７）を介して組み立てられていると共に、
上記後側垂直連結杆（３０）の左右何れか一方を地面（ＧＬ）から引き抜き、残る他方を上記背面パネル（Ｒ）の回動枢軸として、その垂直軸線廻りに背面パネル（Ｒ）を開閉できるように定めたことを特徴とする請求項５記載の有害動物捕獲用の囲い罠。
【発明の詳細な説明】
【技術分野】
【０００１】
本発明は鹿や猪、猿などの有害動物を捕獲する囲い罠であり、特に短時間での容易に組立・分解できるにも拘らず、優れた据付け強度と安定性を得られるように工夫したものである。
【背景技術】
【０００２】
組立・分解を短時間での容易に行え、自由にサイズと形状を変更できる獣類捕獲装置が、下記の特許文献１に開示されている。
【０００３】
この特許文献１に記載の獣類捕獲装置は複数の側面ユニットを横方向に並べ、その隣り合う側面ユニット同士を連結部材により連結して、捕獲空間を形成した囲い罠である点で、本発明に最も近似する公知技術であると考えられる。
【先行技術文献】
【特許文献】
【０００４】
【特許文献１】実用新案登録第３１７２０５７号公報
【発明の概要】
【発明が解決しようとする課題】
【０００５】
ところが、上記特許文献１に開示された獣類捕獲装置（囲い罠）の構成では、その柵ユニット（１０）の連結鉄筋線（１０ｂ）同士や同じく柵ユニット（１０）の連結鉄筋線（１０ｂ）と扉ユニット（１１）の連結鉄筋線（１１ｂ）とを、螺旋状の連結コイル（１２）によって結束している軟構造であるため、その連結コイル（１２）を回動操作しなければ、上記連結鉄筋線（１０ｂ）（１１ｂ）への螺進状態に巻き付け結束することができず、甚だ面倒であって、設置現場での連結作業に未だ長時間を要する。
【０００６】
また、連結コイル（１２）により弾性的に連結された軟構造として、獣類の暴れ動く衝撃を吸収したり、変形や破損を防止したりすることには役立つかも知れないが、その使用中に受ける衝撃によって、特に上記連結コイル（１２）が変形したり、破損したりすれば、これを連結鉄筋線（１０ｂ）（１１ｂ）からの螺退方向へ回動させることができず、分解することも困難となる。
【０００７】
更に、柵ユニット（１０）は鉄線を格子状態に溶接した金網（１０ａ）から成るに過ぎないため、その左右両端部に連結鉄筋線（１０ｂ）が溶接されていても、その物理的な剛性に劣り、上記連結コイル（１２）がその柵ユニット（１０）を地面へ固定することに働いていないこととも相俟って、据付け状態での強度と安定性を維持することができない。
【課題を解決するための手段】
【０００８】
本発明はこのような諸問題の改良を目的としており、その目的を達成するために、請求項１では有害動物捕獲用囲い罠の構成として、矩形な額縁を有するワイヤーメッシュパネル本体に、その網目を細分する複数本づつの縦補強線材と横補強線材とが溶接された多数の壁パネルと、
【０００９】
有害動物侵入口を開閉する落下扉と、その落下扉の昇降ガイドレールになる左右一対の門柱とから成る少なくとも１基の門扉ユニットとを備え、
【００１０】
上記壁パネルのワイヤーメッシュパネル本体が広い垂立本体面と、その上部から内側へ一定角度だけ斜めに折り曲げられた忍び返し面と、同じく垂立本体面の下部から内側へほぼ直角に折り曲げられた接地座面とから成り、
【００１１】
上記ワイヤーメッシュパネル本体の横補強線材における垂立本体面と忍び返し面との上記額縁から各々張り出す左右両端部は、何れも円形の連結リングとして連続的に巻き曲げられている一方、
【００１２】
上記ワイヤーメッシュパネル本体における垂立本体面側の連結リングと同じ垂直線上での整然と対応合致する複数の円形な連結リングが上記門扉ユニットの門柱へ、その門柱から張り出す状態に溶接されており、
【００１３】
上記壁パネルにおける垂立本体面）同士の隣り合う相互間が、その横補強線材の連結リング同士の対応合致する内部へ、上方から串刺し貫通状態に地中まで打ち込まれる長い連結支柱によって連結され、
【００１４】
同じく壁パネルの垂立本体面と上記門扉ユニットとの隣り合う相互間が、その垂立本体面側における横補強線材の連結リングと、門扉ユニットにおける門柱側の連結リングとの対応合致する内部へ、上方から串刺し貫通状態に地中まで打ち込まれる長い連結支柱によって連結され、
【００１５】
上記壁パネルの接地座面が複数のペグやステープル、その他の固定金具によって、地面へ押え付け固定されると共に、
【００１６】
同じく壁パネルにおける忍び返し面同士の隣り合う相互間が、その横補強線材の連結リング同士の対応合致する傾斜線上に沿って内部へ、斜め上方から串刺し貫通状態に差し込まれる短かい連結杆によって連結され、
【００１７】
しかも、その短かい連結杆の下端部が上記地中へ打ち込まれた長い連結支柱の上部によって、その連結リングから抜け落ちないよう受け止められるように関係設定したことを特徴とする。
【００１８】
また、請求項２では長い連結支柱はワイヤーメッシュパネル本体における垂立本体面の背丈寸法よりも長く、
【００１９】
その垂立本体面から張り出す最上段の連結リングと衝当する打込み限度ストッパーが、上記連結支柱の上部から一体的に張り出されたことを特徴とする。
【００２０】
請求項３では壁パネルが直列状態に並べられるストレート壁パネルと、平面視の一定角度だけ交叉する状態に並べられるコーナー壁パネルとの２種から成り、
【００２１】
そのコーナー壁パネルにおけるワイヤーメッシュパネル本体の内側へ一定角度だけ斜めに折り曲げられた忍び返し面の左側端縁部又は右側端縁部は、その隣り合うコーナー壁パネルの忍び返し面同士が突き合って上記一定の交叉角度を保てることとなるように、傾斜面としてカットされていると共に、
【００２２】
その傾斜面からこれと直交する斜め上向きの折り曲げ状態に張り出す横補強線材の連結リングへ、短かい連結杆を差し込めるように設定したことを特徴とする。
【００２３】
請求項４では門扉ユニットの落下扉を１枚物の目隠し金属板として、その下端中央部に倒立Ｕ字形の逃し溝を切り欠いたことを特徴とする。
【００２４】
請求項５では囲い罠における囲い平面形状の内部に連通する正面開口の開閉扉と、止め刺し後の有害動物取り出し用背面開口の開閉扉とを備えた正背方向への細長い直方体の止め刺し用檻が、
【００２５】
上記正面開閉扉の左右両昇降ガイド支柱に溶接された複数づつの円形な連結リングと、壁パネルにおけるワイヤーメッシュパネル本体の垂立本体面からから張り出す連結リングとの対応合致する内部へ、上方から串刺し貫通状態に地中まで打ち込まれる長い連結支柱によって、その囲い平面形状の壁パネルと連結固定されたことを特徴とする。
【００２６】
更に、請求項６では直方体の止め刺し用檻を形成する左右両側面パネルと天井面パネルと底面パネルとの隣り合う相互間が、その直方体の正背（前後）方向に沿い延在する合計４本の長い水平連結杆を介して組み立てられ、
【００２７】
同じく左右両側面パネルと背面パネルとの隣り合う相互間が、合計２本（左右一対）の後側垂直連結杆を介して組み立てられ、
【００２８】
更に正面開閉扉の左右両昇降ガイド支柱と上記左右両側面パネルとの隣り合う相互間が、やはり合計２本（左右一対）の前側垂直連結杆を介して組み立てられていると共に、
【００２９】
上記後側垂直連結杆の左右何れか一方を地面から引き抜き、残る他方を上記背面パネルの回動枢軸として、その垂直軸線廻りに背面パネルを開閉できるように定めたことを特徴とする。
【発明の効果】
【００３０】
請求項１の上記構成によれば、多数並べられる壁パネル同士の隣り合う相互間並びにその壁パネルと門扉ユニットとの隣り合う相互間を、その壁パネル側のワイヤーメッシュパネル本体に付属している横補強線材の連結リングや、門扉ユニット側の門柱に付属している連結リングへ、上方から串刺し貫通して地中まで打ち込まれる長い連結支柱により、その悉く連結固定することができるため、ボルト・ナットなどの締結具やその回動操作工具を用いることなく、誰もが設置現場での短時間に能率良く囲い罠の組立作業を行え、また上記連結支柱をその連結リングや地面から引き抜くことにより、囲い罠の分解と運搬並びに設置場所の変更も便利良く行えるのである。
【００３１】
特に、長い連結支柱はその連結リング同士の内部へ串刺し貫通されるだけにとどまらず、地中へ打ち込まれるようになっているため、囲い罠を形作る壁パネル同士の連結やその壁パネルと門扉ユニットとの連結に役立つほか、その組立状態の囲い罠を設置現場の地面へ据付け固定することにも役立ち、優れた据付け強度と安定性も確保できるのである。
【００３２】
しかも、上記壁パネルのワイヤーメッシュパネル本体は金属骨線材の縦横交叉する格子状態に溶接されただけのものでなく、その平面（表面）には縦補強線材と横補強線材との複数本づつが重合溶接されており、特にその横補強線材におけるワイヤーメッシュパネル本体の左右両辺から張り出す両端部が、上記連結支柱を受け入れる円形の連結リングとして、連続的に巻き曲げ形成されているため、物理的な高剛性と耐久強度に富む囲い罠を得られることになる。
【００３３】
また、囲い罠の上部から内側へ斜めに折り曲げられて、有害動物の飛び越えを防ぐ忍び返し面（獣返し面）同士の隣り合う相互間も、短かい連結杆を介して確実に連結されるほか、同じく囲い罠の下部から内側へほぼ直角に折り曲げられて、有害動物の穴掘りを防ぐ接地座面も、ペグなどの固定金具によって地面へ押え付け固定されるため、その地面へ打ち込まれる上記長い連結支柱とも相俟って、安定・強固な据付け状態を得られる効果がある。
【００３４】
その場合、壁パネルにおけるワイヤーメッシュパネル本体の垂立本体面から張り出す横補強線材の連結リングへ、上方から串刺し貫通されて地中まで打ち込まれた長い連結支柱の上部により、上記忍び返し面同士を連結する短かい連結杆の下端部を受け止めて、その短かい連結杆が斜め下方へ抜け落ちる（滑降する）ことを防止できるのである。
【００３５】
特に、請求項２の構成を採用するならば、上記長い連結支柱の上部から一体的に張り出された打込み限度ストッパーが、上記ワイヤーメッシュパネル本体の垂立本体面から張り出す最上段の連結リングと衝当（係止）するようになっているため、上記忍び返し面同士の短かい連結杆がその連結リングから斜め下方へ抜け落ちることを確実に防止できるほか、上記長い連結支柱を地面から引き抜く時に、その打込み限度ストッパーを下方から叩打できる利便性もある。
【００３６】
請求項３の構成を採用するならば、隣り合うコーナー壁パネル同士を組み立てた時、その忍び返し面同士が傾斜面（斜めのカットエッジ）において正しく突き合うことにより、一定の交叉角度を保つことができ、その傾斜面（斜めのカットエッジ）から張り出す連結リングへ、上記短かい連結杆を正確に差し込める効果がある。
【００３７】
また、請求項４の構成を採用するならば、捕獲された有害動物（特に猪）が暴れ動いて、門扉ユニットの落下扉へ高勢力に突進し、その落下扉が早期に損傷・破壊されることを予防できるほか、落下扉の下端中央部に切り欠かれた倒立Ｕ字形の逃し溝により、その落下扉が不慮に落下した時、作業者が足を挟まれて、負傷する危険も予防することができる。
【００３８】
更に、請求項５の構成を採用するならば、囲い罠の内部に捕獲された有害動物を、その囲い罠との連通状態に開口した止め刺し用檻の内部へ、１頭づつ追い込み、その有害動物の自由に動けない状態として、これを外部から容易・確実に止め刺し処理できる効果がある。
【００３９】
その場合、請求項６の構成を採用するならば、その止め刺し用檻の組立・分解や囲い罠との連結を、やはりボルト・ナットなどの締結金具やその回動操作工具の必要なく、誰でも短時間での便利良く行えるのであり、設置場所の変更にも支障なく追随することができる。
【図面の簡単な説明】
【００４０】
【図１】本発明に係る有害動物捕獲用囲い罠の全体概略斜面図である。
【図２】壁パネルのストレート壁パネルを抽出して示す概略斜面図である。
【図３】図２の正面図である。
【図４】ワイヤーメッシュパネル本体の横補強線材を抽出して示す正面図である。
【図５】図４の平面図である。
【図６】図３の６−６線断面図である。
【図７】図３の７−７線断面図である。
【図８】壁パネルのコーナー壁パネル（一対）を抽出して示す正面図である。
【図９】門扉ユニットを抽出して示す概略斜面図である。
【図１０】隣り合うストレート壁パネル同士の連結状態を示す正面図である。
【図１１】図１０の１１−１１線断面図である。
【図１２】図１０の１２−１２線断面図である。
【図１３】隣り合う門扉ユニットとストレート壁パネルとの連結状態を示す正面図である。
【図１４】図１３の１４−１４線断面図である。
【図１５】図１０の状態から引き続き短かい連結杆を差し込んだ状態の正面図である。
【図１６】図１５の１６−１６線断面図である。
【図１７】隣り合うコーナー壁パネル同士の連結状態を示す部分平面図である。
【図１８】本発明に係る有害動物捕獲用囲い罠の変形実施形態を示す全体概略斜面図である。
【図１９】止め刺し用檻を抽出して示す概略斜面図である。
【図２０】図１９の側面図である。
【図２１】図２０の平面図である。
【発明を実施するための形態】
【００４１】
以下、図面に基いて本発明の具体的な構成を詳述すると、図１〜１７はその有害動物捕獲用囲い罠（Ｔ）の基本実施形態を示しており、これは図１や図１０〜１７の組立状態から明白なように、多数の壁パネル（Ｗ）と、少なくとも１基の有害動物侵入口用門扉ユニット（Ｇ）と、その壁パネル（Ｗ）同士の隣り合う相互間並びに壁パネル（Ｗ）と門扉ユニット（Ｇ）との隣り合う相互間を着脱自在に連結することにより、全体として平面視の多角形（図例では５０００mm×５０００mmの矩形）に組み立てる多数の長い連結支柱（１１）並びに短かい連結杆（１２）とを備え、その囲い罠（Ｔ）の組立を工具の必要なく行えるほか、分解して運搬したり、設置場所を変えたり、更には全体的な囲い平面形状と大きさを変えたりすることもできるようになっている。
【００４２】
その場合、長い連結支柱（１１）は壁パネル（Ｗ）における就中後述する垂立本体面の縦（背丈）寸法よりも長く、短かい連結杆（１２）は同じく壁パネル（Ｗ）の後述する傾斜した忍び返し面（獣返し面）の縦（背丈）寸法とほぼ同じ長さを備えており、その何れも金属単管や棒鋼（鉄筋を含む）などから成る。
【００４３】
特に、上記連結支柱（１１）は打込み棒（杭）として地中へ打ち込まれることになり、その深く打ち込み過ぎると、これ（連結支柱）によって上記短かい連結杆（１２）の抜け落ちを防止できないため、その打込み限度ストッパー（１３）が図１１や図１６のように連結支柱（１１）の上部から横側へ張り出す水平状態に溶接されている。連結支柱（１１）を地面（ＧＬ）から抜き取る際には、その打込み限度ストッパー（１３）を逆に下方から叩打すれば良く、そのためにも打込み限度ストッパー（１３）を活用することができる。
【００４４】
また、上記壁パネル（Ｗ）としては直列状態に並べられるストレート壁パネル（ＳＷ）と、平面視の一定角度（α）（直角やこれよりも大きな鈍角）だけ交叉する状態に並べられるコーナー壁パネル（ＣＷ）との２種が用意されており、その壁パネル（Ｗ）や上記連結支柱（１１）、連結杆（１２）などの使用数を増減することによって、囲い罠（Ｔ）の囲い平面形状と大きさを変えることができる。
【００４５】
上記囲い罠（Ｔ）はその有害動物侵入口（１４）から侵入した鹿や猪などの有害動物を検知するセンサーと、そのセンサーの検知出力信号を受けて、上記門扉ユニット（Ｇ）の落下扉（１５）を落下させるトリガー装置も具備しているが、そのトリガー装置としてはどのような作動方式のものであっても良く、例えば有害動物の侵入状態を設置現場でのネットワークカメラにより撮影し、そのカメラから受信したライブ画像を、遠方から監視者がパソコンや携帯電話（スマートフォン）などのユーザー情報端末により目視しながら、そのトリガー装置を作動させるべく操作してもさしつかえない。尚、そのトリガー装置や検知センサー、ネットワークカメラなどの図示と説明は省略する。
【００４６】
本発明の上記構成部材（組立部品）のうち、先ず壁パネル（Ｗ）における就中ストレート壁パネル（ＳＷ）の構成について説明すると、これは図２〜７のような矩形（長方形）（例えば縦／背丈：２８００mm×横／幅：１０００mm) の額縁（１６）内を縦横交叉する複数本の金属骨線材( 例えばφ６mmの棒鋼）（図示符号省略）から、格子状態に組み付け溶接されたワイヤーメッシュパネル本体（Ｐ）と、その網目（例えば２００mm角メッシュ）を更に細かく区分する如く、ワイヤーメッシュパネル本体（Ｐ）の平面（好ましくは外側表面）へ格子状態に重合溶接された複数本の縦補強線材（１７ｙ）と複数本の横補強線材（１７ｘ）とから成る。その縦・横補強線材（１７ｙ）（１７ｘ）としては上記ワイヤーメッシュパネル本体（Ｐ）の骨線材と同じ太さの棒鋼（鉄筋を含む）などを採用すれば良い。
【００４７】
しかも、その少なくとも複数本の横補強線材（１７ｘ）を備えた上記ストレート壁パネル（ＳＷ）のワイヤーメッシュパネル本体（Ｐ）は、その額縁（１６）の上辺から一定距離（例えば約５００mm）だけ下がった位置を上部折曲げ稜線（Ａ−Ａ）として、囲い罠（Ｔ）の内側へ一定角度（β）（好ましくは約４５度）だけ斜めに折り曲げられることにより、上部が有害動物の飛び越えを防ぐ忍び返し面（１８ａ）として形成されている一方、同じく額縁（１６）の下辺から一定距離（例えば約３００mm）だけ上がった位置を下部折曲げ稜線（Ｂ−Ｂ）として、やはり囲い罠（Ｔ）の内側へほぼ直角（γ）に折り曲げられることにより、下部が有害動物（特に猪）の穴掘りを防ぐ接地座面（１８ｂ）として形成されている。そして、その上部の忍び返し面（１８ａ）と下部の接地座面（１８ｂ）との上下相互間がワイヤーメッシュパネル本体（Ｐ）の広い垂立本体面（１８ｃ）として、垂立するようになっている。
【００４８】
更に、上記横補強線材（１７ｘ）が矩形（長方形）なワイヤーメッシュパネル本体（Ｐ）における額縁（１６）の左右両辺から張り出す両端部についてだけは、左右一対の円形（例えばφ３０mmの大きさ）な連結リング（１９）（１９）として連続的に巻き曲げられている。
【００４９】
その場合、複数本の横補強線材（１７ｘ）はワイヤーメッシュパネル本体（Ｐ）の上下両辺や横骨線材と悉く平行に延在するが、その額縁（１６）から張り出す左右両端部は図３のように、一旦互いに相反する方向（上下方向）へ約４５度（θ）だけ折り曲げられた上、一対の連結リング（１９）（１９）として円形に巻き曲げられており、その巻き曲げられた連結リング（１９）（１９）は上記ワイヤーメッシュパネル本体（Ｐ）の平面と直交する平面に開口している。ワイヤーメッシュパネル本体（Ｐ）の据え立て状態において、上下方向へ開口するわけである。
【００５０】
つまり、予じめ図４、５のように両端部が約４５度（θ）だけ折り曲げられ、円形の連結リング（１９）（１９）として巻き曲げ準備された横補強線材（１７ｘ）の複数本を、上記ワイヤーメッシュパネル本体（Ｐ）の額縁（１６）から左右方向へ張り出す関係状態に溶接しており、上記ストレート壁パネル（ＳＷ）同士を連結状態に組み立てる時、その隣り合うワイヤーメッシュパネル本体（Ｐ）の横補強線材（１７ｘ）から張り出す左右両端部の連結リング（１９）（１９）同士が衝突することを避け、その横補強線材（１７ｘ）（１７ｘ）同士が図１０に示唆する如く、同じ水平中心線（Ｘ−Ｘ）上での正しく対応合致する関係状態に整然と並ぶようになっているのである。
【００５１】
但し、上記ワイヤーメッシュパネル本体（Ｐ）の広い垂立本体面（１８ｃ）とこれから斜めに折り曲げられた上部の忍び返し面（１８ａ）には、その横補強線材（１７ｘ）の円形な連結リング（１９）（１９）が設けられているが、同じくワイヤーメッシュパネル本体（Ｐ）からほぼ直角（γ）に折り曲げられた下部の接地座面（１８ｂ）に限っては、その横補強線材（１７ｘ）を縦補強線材（１７ｙ）と同様な状態として、ワイヤーメッシュパネル本体（Ｐ）の額縁（１６）から張り出さず、その張り出す上記左右両端部の円形な連結リング（１９）（１９）の巻き曲げ形成を省略しても良い。
【００５２】
壁パネル（Ｗ）の先に一言したコーナー壁パネル（ＣＷ）も、ストレート壁パネル（ＳＷ）と同じ構成を備えているが、そのワイヤーメッシュパネル本体（Ｐ）における上部の忍び返し面（１８ａ）についてだけは、囲い罠（Ｔ）の内側へ約４５度などの一定角度（β）だけ予じめ斜めに折り曲げられており、隣り合うコーナー壁パネル（ＣＷ）（ＣＷ）同士を組み立てた時、その忍び返し面（１８ａ）（１８ａ）同士が正しく突き合って一定の交叉角度（α）を保つこととなるように、その忍び返し面（１８ａ）の左右何れか一方の側端縁部が図８のような言わば斜めにカットされた形態をなしている。（２０）はその斜めのカットエッジを示している。
【００５３】
その場合、コーナー壁パネル（ＣＷ）のワイヤーメッシュパネル本体（Ｐ）における上部の忍び返し面（１８ａ）に限っては、その斜めのカットエッジ（２０）から張り出す横補強線材（１７ｘ）の一端部をなす連結リング（１９）が、図８から明白なように、そのカットエッジ（傾斜面）（２０）と直交する斜め上向きに折り曲げられており、その隣り合う忍び返し面（１８ａ）（１８ａ）同士の突き合うカットエッジ（２０）（２０）から張り出す複数づつの連結リング（１９）（１９）へ、図１６、１７のように短かい連結杆（１２）を正確に差し込めるようになっている。
【００５４】
尚、その他の構成は上記ストレート壁パネル（ＳＷ）と実質的に同一であるため、これとの同一符号をコーナー壁パネル（ＣＷ）に付与するにとどめて、その詳細な説明を省略する。
【００５５】
次に、上記門扉ユニット（Ｇ）の構成について言えば、これは有害動物侵入口（１４）を開閉する落下扉（１５）と、その落下扉（１５）の昇降ガイドレールになる左右一対の門柱（２１）（２１）とから成る。落下扉（１５）はこれを縦・横金属骨線材から格子状態に溶接されたワイヤーメッシュパネルとして、透視できるように造形してもさしつかえないが、図９のような有害動物にとって透視できない１枚物の目隠し金属板から作成することが好ましい。捕獲された有害動物（特に猪）が暴れ動いて、落下扉（１５）へ高勢力に突進し、その落下扉（１５）が早期に損傷・破壊されることを予防できるからである。
【００５６】
その場合、落下扉（１５）の下端中央部を逃し溝（２２）として倒立Ｕ字形に切り欠いておくことにより、落下扉（１５）が不慮に落下した時、作業者が足を挟まれて、負傷する危険も予防することが望ましい。
【００５７】
また、上記門柱（２１）（２１）は向かい合うコ字形の鋼材から成り、その中途高さ位置には水平の補強桟（２３）が、同じく下端部には水平の接地板（２４）が、各々横断状態に溶接一体化されている。その補強桟（２３）と接地板（２４）との上下相互間が、矩形の有害動物侵入口（１４）として区画形成されているのである。
【００５８】
その補強桟（２３）と接地板（２４）は門柱（２１）（２１）の補強に寄与しているが、特に下端部の接地板（２４）は有害動物侵入口（１４）の地面をフラット面に保ち、有害動物の侵入時における違和感や警戒感を無くすと共に、殊更猪などによる穴掘りの防止にも役立つ。
【００５９】
更に、上記門柱（２１）（２１）からは上下方向へ開口する左右一対づつ複数個の連結リング（２５）（２５）が、横側又は後側への張り出し状態に溶接されており、その門柱（２１）（２１）側の連結リング（２５）（２５）と上記壁パネル（就中ストレート壁パネル）（Ｗ）側のワイヤーメッシュパネル本体（Ｐ）から張り出す横補強線材（１７ｘ）の連結リング（１９）（１９）とが、同じ垂直線（Ｚ−Ｚ）上での正しく対応合致する関係状態に整然と並ぶようになっている。
【００６０】
図１〜１７の基本実施形態に係る囲い罠（Ｔ）は上記構成を備えており、その囲い罠（Ｔ）を設置現場において組み立てるに当っては、上記壁パネル（Ｗ）のストレート壁パネル（ＳＷ）を直列状態に並べると共に、コーナー壁パネル（ＣＷ）を図例のような直角の交叉角度（α）に並べて、その隣り合う壁パネル（Ｗ）（Ｗ）のワイヤーメッシュパネル本体（Ｐ）（Ｐ）に溶接されている横補強線材（１７ｘ）（１７ｘ）の連結リング（１９）（１９）同士が、その複数づつの整然と対応合致する垂直線（Ｚ−Ｚ）上に沿って、その連結リング（１９）（１９）の内部へ図１０〜１２のように、上方から長い連結支柱（１１）を串刺し貫通させながら、地中まで打ち込む。
【００６１】
また、上記壁パネル（Ｗ）と門扉ユニット（Ｇ）も直列状態に並べて、その壁パネル（Ｗ）側のワイヤーメッシュパネル本体（Ｐ）に溶接されている横補強線材（１７ｘ）の連結リング（１９）と、門扉ユニット（Ｇ）側の門柱（２１）（２１）に溶接されている連結リング（２５）とが、その複数づつ整然と対応合致する垂直線（Ｚ−Ｚ）上に沿って、その連結リング（１９）（２５）同士の内部へ図１３、１４のように、やはり上方から長い連結支柱（１１）を串刺し貫通させながら、地中まで打ち込めば良い。
【００６２】
そうすれば、その壁パネル（Ｗ）同士の隣り合う相互間や壁パネル（Ｗ）と門扉ユニット（Ｇ）との隣り合う相互間が、１本づつの長い連結支柱（１１）を介して連結されると言わば同時に、その地中に対する支柱（１１）の打ち込みによって、設置現場の地面（ＧＬ）へ据付け固定されることになる。
【００６３】
その場合、更に詳しく言えば、上記連結支柱（１１）は壁パネル（Ｗ）におけるワイヤーメッシュパネル本体（Ｐ）の広い垂立本体面（１８ｃ）から左右方向へ張り出す横補強線材（１７ｘ）の連結リング（１９）へ、上方からの串刺し貫通状態に打ち込まれるが、その最終的には連結支柱（１１）の上部から予じめ一体的に張り出している打込み限度ストッパー（１３）が、上記ワイヤーメッシュパネル本体（Ｐ）の垂立本体面（１８ｃ）から張り出している最上段の連結リング（１９）に係止（衝当）して、これに受け止め規制されることになるため、これよりも深く地中へ打ち込まれることはない。
【００６４】
そこで、次に隣り合う壁パネル（Ｗ）（Ｗ）同士におけるワイヤーメッシュパネル本体（Ｐ）（Ｐ）の傾斜した上記忍び返し面（１８ａ）（１８ａ）から同じく左右方向へ張り出す横補強線材（１７ｘ）（１７ｘ）の連結リング（１９）（１９）同士が、整然と対応合致する傾斜線（Ｙ−Ｙ）上に沿って、その連結リング（１９）（１９）の内部へ図１５、１６のように、上方から短かい連結杆（１２）を差し込み貫通させるのであり、そうすればその傾斜線（Ｙ−Ｙ）に沿って滑降する連結杆（１２）の先端部（下端部）が、上記長い連結支柱（１１）の上部に衝当して受け止められるため、その連結リング（１９）（１９）から抜け落ちる（離脱する）おそれはない。
【００６５】
尚、隣り合うコーナー壁パネル（ＣＷ）（ＣＷ）の忍び返し面（１８ａ）（１８ａ）同士が斜めの上記カットエッジ（２０）（２０）において、一定の交叉角度（α）を保つ状態に突き合い、そのカットエッジ（２０）（２０）から張り出す連結リング（１９）（１９）の内部にも、図１７のように上方から短かい連結杆（１２）を差し込み貫通させるが、その短かい連結杆（１２）も長い連結支柱（１１）の上部に衝当して受け止められることとなり、その連結リング（１９）（１９）から抜け落ちないことは言うまでもない。
【００６６】
更に、隣り合う壁パネル（Ｗ）（Ｗ）の上記忍び返し面（１８ａ）（１８ａ）同士を短かい連結杆（１２）により連結する作業と相前後して、各壁パネル（Ｗ）におけるワイヤーメッシュパネル本体（Ｐ）の水平な接地座面（１８ｂ）に、複数のペグやステープル、その他の固定金具（図示省略）を打ち込んで、その接地座面（１８ｂ）を地面（ＧＬ）へ強く押え付け固定する。
【００６７】
上記の組立方法によれば、壁パネル（Ｗ）（Ｗ）同士の隣り合う相互間並びにその壁パネル（Ｗ）と門扉ユニット（Ｇ）との隣り合う相互間が、複数づつの連結リング（１９）（１９）に対する長い連結支柱（１１）並びに短かい連結杆（１２）の串刺し貫通によって連結されるだけでなく、地中に対する長い連結支柱（１１）の打ち込みによって固定されることにもなるため、その打ち込み作業上の叩打用具がありさえすれば良く、ボルト・ナットなどの締結金具やその回動操作工具を使う必要がない結果、少数の作業者が設置現場において、短時間での容易に正しく組み立てることができ、上記長い連結支柱（１１）を連結リング（１９）と地面（ＧＬ）から引き抜くことにより、囲い罠（Ｔ）の分解とその構成部材の運搬並びに設置場所の変更も便利良く行えるのである。
【００６８】
尚、図１〜１７の上記基本実施形態は主に鹿や猪を捕獲するための囲い罠（Ｔ）として、天井面の開放状態にあるが、その天井面を図外のワイヤーメッシュパネルや張設ネットなどで被覆することにより、猿などを捕獲する囲い罠（Ｔ）として実施することも可能である。
【００６９】
次に、図１８〜２１は本発明に係る囲い罠（Ｔ）の変形実施形態を示しており、この囲い罠（Ｔ）には捕獲した有害動物の止め刺し用檻（Ｃ）が付属設置されている。
【００７０】
囲い罠（Ｔ）に鹿や猪などの有害動物を捕獲できたとしても、その有害動物は囲い罠（Ｔ）の広い内部（捕獲空間）を自由に動き廻り、１頭づつ確実にすばやく止め刺し処理することが難しいため、その対策として１頭づつが入る程度（例えば縦／奥行：２０００mm×横／幅：１０００mm×高さ／背丈：１０００mmの大きさ）の止め刺し用檻（Ｃ）を、上記囲い罠（Ｔ）に連結している。
【００７１】
その止め刺し用檻（Ｃ）は上記囲い罠（Ｔ）の壁パネル（Ｗ）に準じて、矩形（長方形）の額縁（２６）内を縦横交叉する複数本の金属骨線材（図示符号省略）から、格子状態に組み付け溶接されたワイヤーメッシュパネル本体（Ｐ）の平面へ、その網目を細分する如く、複数本づつの縦・横補強線材（２７ｙ）（２７ｘ）を格子状態に重合溶接した重厚な天井面パネル（Ｕ）と底面パネル（Ｆ）と左右両側面パネル（ＳＬ）（ＳＲ）と背面パネル（Ｒ）とから、正面開口が囲い罠（Ｔ）との連通口（２８）になる正背（前後）方向への細長い全体的な直方体に組み立てられている。
【００７２】
その場合、左右両側面パネル（ＳＬ）（ＳＲ）と天井面パネル（Ｕ）と底面パネル（Ｆ）との隣り合う相互間は、その直方体の正背方向（長手方向／奥行方向）に沿って延在する平行な合計４本の長い水平連結杆（２９）（２９）（２９）（２９）を介して連結されているが、その左右両側面パネル（ＳＬ）（ＳＲ）と背面パネル（Ｒ）との隣り合う相互間は、平行な合計２本（左右一対）の後側垂直連結杆（３０）（３０）を介して連結されており、その左右何れか一方の後側垂直連結杆（３０）を引き抜けば、残る他方の後側垂直連結杆（３０）を回動枢軸として、その垂直軸線廻りに背面パネル（Ｒ）を開閉することができるようになっている。
【００７３】
つまり、左右一対（合計２本）の後側垂直連結杆（３０）（３０）は打込み棒（杭）として地中へ打ち込むことができるようになっているほか、上記止め刺し用檻（Ｃ）の背面パネル（Ｒ）が止め刺し後の有害動物取り出し口になる背面開口の開閉扉として機能し得るように、左右両側面パネル（ＳＬ）（ＳＲ）の何れか一方だけと枢支連結されているのである。但し、背面開閉扉（背面パネル）（Ｒ）の回動枢軸となる後側垂直連結杆（３０）は、引き抜けない状態に拘束しておいてもさしつかえない。
【００７４】
その場合、平行な合計４本の長い水平連結杆（２９）（２９）（２９）（２９）は上記囲い罠（Ｔ）における壁パネル（Ｗ）の構成に準じて、左右両側面パネル（ＳＬ）（ＳＲ）と天井面パネル（Ｕ）と背面パネル（Ｒ）との隣り合うワイヤーメッシュパネル本体（Ｐ）から張り出す短かい横補強線材（２７ｘ）（２７ｘ）の円形な連結リング（３１）（３１）同士へ、その正背（前後）方向から抜き差し自在に差しむ込むことにより、組み立てることができるように定めることが好ましい。
【００７５】
また、平行な合計２本（左右一対）の後側垂直連結杆（３０）（３０）も上記囲い罠（Ｔ）の長い連結支柱（１１）に準じて、左右両側面パネル（ＳＬ）（ＳＲ）と背面パネル（Ｒ）との隣り合うワイヤーメッシュパネル本体（Ｐ）から張り出す長い縦補強線材（２７ｙ）（２７ｙ）の連結リング（３２）（３２）同士へ、その上方から地中まで抜き差し自在に差し込むことにより、組み立てることができるように定めると共に、その左右何れか一方の後側垂直連結杆（３０）を地面（ＧＬ）と連結リング（３２）（３２）から引き抜き、残る他方の後側垂直連結杆（３０）を回動枢軸として、その垂直軸線廻りに背面開閉扉（背面パネル）（Ｒ）を手動操作により開閉することが望ましい。
【００７６】
他方、上記直方体をなす止め刺し用檻（Ｃ）の正面には左右一対の正面開閉扉用昇降ガイド支柱（３３）（３３）が据え立てられており、これに沿って昇降作用する正面開閉扉（３４）が、上記囲い罠（Ｔ）との連通口（檻の正面開口）（２８）を開閉するようになっている。
【００７７】
（３５）はその正面開閉扉（３４）の吊り下げ索条であり、これを作業者が背面開閉扉（Ｒ）の存在方向（背後方向）から引っ張り又は弛緩させることによって、正面開閉扉（３４）を開閉するようになっているが、上記囲い罠（Ｔ）の落下扉（１５）のようなトリガー装置によって落下される扉ではなく、作業者の手動操作によって開閉される非落下式の扉である限り、その吊り下げ索条（３５）に代る正面開閉扉（３４）の昇降（支持）手段を採用してもさしつかえない。
【００７８】
その場合、正面開閉扉用昇降ガイド支柱（３３）（３３）を上記囲い罠（Ｔ）における門扉ユニット（Ｇ）の門柱（２１）（２１）に準じて、その左右両昇降ガイド支柱（３３）（３３）には後側へ張り出す円形な連結リング（３６）（３６）の複数づつを溶接しておき、左右両側面パネル（ＳＬ）（ＳＲ）のワイヤーメッシュパネル本体（Ｐ）から張り出す長い縦補強線材（２７ｙ）の連結リング（３２）と、その昇降ガイド支柱（３３）側の連結リング（３６）との内部へ、上方から前側垂直連結杆（３７）を串刺し状態に貫通させ、更にはその前側垂直連結杆（３７）を地中へ打ち込むことにより、上記直方体の止め刺し用檻（Ｃ）とその正面開閉扉用昇降ガイド支柱（３３）（３３）とを組立固定することが好ましい。
【００７９】
そうすれば、上記囲い罠（Ｔ）のみならず、止め刺し用檻（Ｃ）の組立や分解も工具の必要なく行え、その分解した構成部材（組立部品）である天井面パネル（Ｕ）や底面パネル（Ｆ）、左右両側面パネル（ＳＬ）（ＳＲ）、背面パネル（背面開閉扉）（Ｒ）、水平連結杆（２９）、前後一対づつの垂直連結杆（３７）（３０）などを運搬して、設置場所を変更したり、その囲い罠（Ｔ）に対して止め刺し用檻（Ｃ）を着脱自在に連結したりすることも、容易に便利良く行えるからである。但し、その檻（Ｃ）の底面パネル（Ｆ）は省略しても良く、背面パネル（背面開閉扉）（Ｒ）も透視不能な１枚物の目隠し金属板から作成することができる。
【００８０】
そして、その正面開閉扉用昇降ガイド支柱（３３）（３３）には上記囲い罠（Ｔ）における門扉ユニット（Ｇ）の門柱（２１）（２１）と同じく、その横側へ張り出す円形な連結リング（３８）の複数づつも溶接しておき、その止め刺し用檻（Ｃ）側の連結リング（３８）と上記囲い罠（Ｔ）における壁パネル（Ｗ）側の連結リング（１９）との内部へ、上方から長い連結支柱（１１）を串刺し貫通させながら地中まで打ち込むことにより、囲い罠（Ｔ）へ止め刺し用檻（Ｃ）を連結固定して、図１３に準じた組立状態を得るのである。
【００８１】
尚、その止め刺し用檻（Ｃ）との連結部分を除く囲い罠（Ｔ）の全体構成は、図１〜１７の上記基本実施形態と実質的に同一であるため、これとの同一符号を図１８〜２１に記入するにとどめて、その変形実施形態の詳細な説明を省略する。
【００８２】
図１８〜２１の変形実施形態に係る囲い罠（Ｔ）では、上記したように有害動物の止め刺し用檻（Ｃ）が連結されているが、有害動物を捕獲する場合にはその檻（Ｃ）の正面開閉扉（３４）を下降させ、囲い罠（Ｔ）との連通口（檻の正面開口）（２８）を閉鎖した状態において、囲い罠（Ｔ）の有害動物侵入口（１４）から鹿や猪などの有害動物が侵入できるように準備する。
【００８３】
そして、上記囲い罠（Ｔ）の有害動物侵入口（１４）がトリガー装置の作動による落下扉（１５）によって閉鎖され、その内部に捕獲された有害動物を止め刺し処理するに当っては、上記檻（Ｃ）の正面開閉扉（３４）を手動操作により上昇させて、その正面開口（囲い罠との連通口）（２８）を開放状態に保ち、上記囲い罠（Ｔ）の内部（捕獲空間）から有害動物を１頭づつ檻（Ｃ）の内部（止め刺し空間）へ追い込み、その１頭が内部へ入ったならば、上記正面開閉扉（３４）を下降させて、囲い罠（Ｔ）との連通口（２８）を閉鎖する。その際、檻（Ｃ）の背面開口（図示符号省略）がその背面開閉扉（背面パネル）（Ｒ）によって、閉鎖状態に保たれていることは言うまでもない。
【００８４】
上記檻（Ｃ）の内部へ入った有害動物は、その内部の狭さにより自由に動けなくなるため、これを外部から容易・確実に止め刺し処理することができ、その処理を終えたならば、上記檻（Ｃ）の背面開閉扉（背面パネル）（Ｒ）を手動操作により回動させて、その檻（Ｃ）の開口した背面から上記止め刺し終えた有害動物を取り出せば良い。
【符号の説明】
【００８５】
（１１）・長い連結支柱
（１２）・短かい連結杆
（１３）・打込み限度ストッパー
（１４）・有害動物侵入口
（１５）・落下扉
（１６）（２６）・額縁
（１７ｙ）（２７ｙ）・縦補強線材
（１７ｘ）（２７ｘ）・横補強線材
（１８ａ）・忍び返し面
（１８ｂ）・接地座面
（１８ｃ）・垂立本体面
（１９）（２５）（３１）（３２）（３６）（３８）・連結リング
（２１）・門柱
（２８）・連通口（正面開口）
（２９）・水平連結杆
（３０）（３７）・垂直連結杆
（３３）・昇降ガイド支柱
（３４）・正面開閉扉
（Ｃ）・止め刺し用檻
（Ｆ）・底面パネル
（Ｇ）・門扉ユニット
（Ｒ）・背面パネル（背面開閉扉）
（Ｐ）・ワイヤーメッシュパネル本体
（Ｔ）・囲い罠
（Ｕ）・天井面パネル
（Ｗ）・壁パネル
（ＳＬ）・左側面パネル
（ＳＲ）・右側面パネル
（ＳＷ）・ストレート壁パネル
（ＣＷ）・コーナー壁パネル
（ＧＬ）・地面
（Ａ−Ａ）・上部折曲げ稜線
（Ｂ−Ｂ）・下部折曲げ稜線
（Ｚ−Ｚ）・垂直線
（Ｙ−Ｙ）・傾斜線
【図１】
0006435590.tif 000002
【図２】
0006435590.tif 000003
【図３】
0006435590.tif 000004
【図４】
0006435590.tif 000005
【図５】
0006435590.tif 000006
【図６】
0006435590.tif 000007
【図７】
0006435590.tif 000008
【図８】
0006435590.tif 000009
【図９】
0006435590.tif 000010
【図１０】
0006435590.tif 000011
【図１１】
0006435590.tif 000012
【図１２】
0006435590.tif 000013
【図１３】
0006435590.tif 000014
【図１４】
0006435590.tif 000015
【図１５】
0006435590.tif 000016
【図１６】
0006435590.tif 000017
【図１７】
0006435590.tif 000018
【図１８】
0006435590.tif 000019
【図１９】
0006435590.tif 000020
【図２０】
0006435590.tif 000021
【図２１】
0006435590.tif 000022